(57)【要約】【課題】撮影計画にしたがって各場面毎に撮影する場合、どの順番で何を撮影すべきかは事前に分かっているという事情を考慮し、撮影計画自体をカメラ側に転送しておかなくても、どの場面で撮影した画像かを特定することができると共に、撮影場面毎にそれに相応しい条件で撮影した各撮影画像を撮影計画の分類体系に合わせて分類整理できるようにする。【解決手段】ＰＣ１は、工程データベース１２から作業場面を識別する為のシーン番号と当該場面での撮影条件を指定する為の条件番号とを読み出してカメラ２へ転送し、カメラ２は、ＰＣ１からのシーン番号と条件番号とを取得して記憶保持しておき、この条件番号に対応する撮影条件を撮影パラメータとして設定し、この設定パラメータにしたがって撮影された撮影画像に当該場面のシーン番号を付加してＰＣ１へ送り、ＰＣ１は、カメラ２からのシーン番号付き撮影画像を撮影計画の分類体系に合わせて分類管理する。【選択図】  図１
2005033447.tif 000002
【特許請求の範囲】
【請求項１】
情報処理装置とデジタルカメラとを備えたデジタルカメラシステムであって、前記情報処理装置は、予定している一連の撮影場面を分類化すると共に、撮影場面毎に、この場面を識別する為のシーン識別情報と当該場面での撮影条件を指定する為の条件指定情報とを対応付けた撮影計画情報を記憶管理する撮影計画記憶手段と、この撮影計画情報内のシーン識別情報とこのシーン識別情報に対応する条件指定情報とをデジタルカメラへ送る出力手段とを備え、
前記デジタルカメラは、情報処理装置からのシーン識別情報と条件指定情報とを取得して記憶保持する保持手段と、この条件指定情報に対応する撮影条件を撮影パラメータとして設定する設定手段と、この設定手段によって設定された撮影パラメータにしたがって撮影された撮影画像に当該場面のシーン識別情報を付加する付加手段と、この付加手段によってシーン識別情報が付加された撮影画像を情報処理装置へ送る出力手段とを備え、
前記情報処理装置は、デジタルカメラからのシーン識別情報付き撮影画像を前記撮影計画の分類体系に合わせて分類管理する、ようにしたことを特徴とするデジタルカメラシステム。
【請求項２】
前記撮影条件を指定する為の条件指定情報は、焦点距離、シャツタ速度、絞り、フィルタ、露出、フラッシュ、ホワイトバランスの各調整値のうち、少なくとも、その何れかの調整値で撮影すべきことを示す撮影条件を指定する為の情報であり、前記情報処理装置は、同一の撮影場面に対応して複数種の条件指定情報をデジタルカメラへ送る、ようにしたことを特徴とする請求項１記載のデジタルカメラシステム。
【請求項３】
前記デジタルカメラは、複数種の撮影条件を記憶管理する条件記憶手段を有し、
前記設定手段は、同一の撮影場面に複数の条件指定情報が含まれている場合に、この複数の条件指定情報の中から任意に選択された条件指定情報に基づいて前記条件記憶手段を検索し、該当する撮影条件を撮影パラメータとして設定する、ようにしたことを特徴とする請求項１あるいは請求項２記載のデジタルカメラシステム。
【請求項４】
デジタル撮影を行うデジタルカメラにおいて、
複数種の撮影条件を記憶管理する条件記憶手段と、
予定している一連の撮影場面毎に、この場面に相応しい撮影条件を指定する為の条件指定情報を記憶管理する指定情報記憶手段と、
一連の撮影場面の中から任意の場面が今回の撮影対象として選択された場合に、この選択場面に対応する条件指定情報を読み出す読出手段と、
この読出手段によって読み出された条件指定情報に対応する撮影条件を撮影パラメータとして設定する設定手段と、を具備したことを特徴とするデジタルカメラ。
【請求項５】
一連の撮影場面の中から任意に選択された場面に複数の条件指定情報が含まれている場合には、この複数の条件を選択候補として案内出力する出力手段を設け、
前記設定手段は、前記選択候補の中から任意に選択された候補に対応する撮影条件を撮影パラメータとして設定する、ようにしたことを特徴とする請求項４記載のデジタルカメラ。
【請求項６】
コンピュータに対して、
予定している一連の撮影場面を分類化すると共に、撮影場面毎に、この場面を識別する為のシーン識別情報と当該場面での撮影条件を指定する為の条件指定情報とを対応付けた撮影計画情報を記憶管理する機能と、
この撮影計画情報内のシーン識別情報とこのシーン識別情報に対応する条件指定情報とをデジタルカメラへ送る出力機能と、
情報処理装置からのシーン識別情報と条件指定情報とを記憶保持している状態において、この条件指定情報に対応する撮影条件を撮影パラメータとして設定する機能と、
設定された撮影パラメータにしたがって撮影された撮影画像に当該場面のシーン識別情報を付加する機能と、
シーン識別情報が付加された撮影画像を情報処理装置へ送る出力機能と、
デジタルカメラからのシーン識別情報付き撮影画像を前記撮影計画の分類体系に合わせて分類管理する機能と、を実現させるためのプログラム。
【請求項７】
コンピュータに対して、
複数種の撮影条件を記憶管理する他に、予定している一連の場面毎に、この場面に相応しい撮影条件を指定する為の条件指定情報を記憶管理する機能と、
一連の撮影場面の中から任意の場面が今回の撮影対象として選択された場合に、この選択場面に対応する条件指定情報を読み出す機能と、
読み出された条件指定情報に対応する撮影条件を撮影パラメータとして設定する機能と、を実現させるためのプログラム。
【発明の詳細な説明】
【０００１】
【発明の属する技術分野】
この発明は、情報処理装置とデジタルカメラとを備えたデジタルカメラシステムおよびデジタルカメラ並びにプログラムに関する。
【０００２】
【従来の技術】
一般に、土木、建設工事において、現場にて工事状況を各工程毎に写真撮影した後、この写真を分類整理する必要があるが、工事記録写真は、膨大な枚数となる場合が多く、特に、電子納品が本格化した公共事業の場合には、記録写真の数は、２０００〜３０００枚のように更に膨大化し、その分類整理に多大な時間と労力を要し、間違いも起こり易く、その作業の効率化・省力化が望まれていた。
【０００３】
そこで、従来においては、パーソナルコンピュータで作成した画像データベースとしての撮影情報をデジタルカメラに送信しておき、デジタルカメラ側では、この撮影情報を受信取得してリスト表示し、このリスト画面を確認しながら撮影を行うと、撮影情報内のポインタによって画像データと撮影情報とをリンクさせてパーソナルコンピュータ側へ送信し、パーソナルコンピュータ側では、この受信内容に基づいて画像データベースを更新して画像データベースを完成するようにした作業記録向けデジタルカメラシステムが知られている（特許文献１参照）。
一方、本出願人は、例えば、焦点距離、シャツタ速度、絞り、フィルタ、露出等を調整する為の撮影条件に対応付けられている各種のサンプル画像の中から任意のサンプル画像が選択された場合に、それに対応する撮影条件を以降の撮影用の条件として設定しておくことによって、当該設定条件通りの撮影を可能としたカメラ装置を提案した（特許文献２参照）。
【０００４】
【特許文献１】
特開２００１−０２４９８２号公報
【特許文献２】
特開２００２−１０１３４号公報
【０００５】
【発明が解決しようとする課題】
上述した特許文献１のデジタルカメラシステムにあっては、撮り忘れを防止できる他、撮影撮影情報に基づいて画像データベースを検索して画像データを読み出すことによって工事写真アルバムを作成することができるが、撮影者に対してリスト内容の確認を強要することなり、撮影者に大きな負担をかけるという問題があった。また、撮り忘れの防止効果は、撮影者の注意力に委ねたものである為、工事記録写真という撮り直しが不可能な撮影に対して、リスト内容の見逃しは、重大な問題を生じる。しかも、カメラ側ではパーソナルコンピュータから受信取得した撮影情報（テキストデータ）を記憶管理すると共に、この撮影情報をリスト表示する為には、特別なアプリケーションを必要とする結果、処理の煩雑化と共にコスト高を招くという問題も残っていた。
ところで、土木、建設工事においては、どの順番で何を撮影すべきかは、その発注元と請負会社との打ち合わせによって事前に分かっている場合が多く、特に、国土交通省を初めとする公共事業団体からは、工事写真の工種、撮影項目、撮影時期に関するガイドラインが基準書として出版されている程である。
【０００６】
第１の発明の課題は、撮影計画にしたがって各場面毎に撮影を行う場合に、どの順番で何を撮影すべきかは事前に分かっているという事情を考慮し、撮影計画自体をカメラ側に転送しておかなくても、どの場面で撮影した画像かを特定することができると共に、撮影場面毎にそれに相応しい条件で撮影した各撮影画像を撮影計画の分類体系に合わせて分類整理できるようにすることである。
【０００７】
他方、上述した特許文献２のカメラ装置にあっては、撮影条件の設定モードの状態において、予め用意されている各種のサンプル画像を表示させ、その中から任意のサンプル画像を選択するだけで、それ以降の撮影を当該サンプル画像に対応付けられている撮影条件にしたがって行うことができるので、撮影を行う毎に焦点距離、シャツタ速度、絞り、フィルタ、露出等の撮影条件を微調整する必要がなくなり、好みに合った撮影を誰でも容易に行うことが可能となる。
【０００８】
第２の発明の課題は、本出願人が先に提案した技術（特開２００２−１０１３４号公報）を更に発展させたもので、撮影予定している一連の各場面を撮影する場合に、撮影場面が変わる毎に、どのような条件で撮影すべきかを意識しなくても、撮影場面毎にそれに相応しい条件で撮影できるようにすることである。
【０００９】
【課題を解決するための手段】
請求項１記載の発明（第１の発明）は、情報処理装置とデジタルカメラとを備えたデジタルカメラシステムであって、前記情報処理装置は、予定している一連の撮影場面を分類化すると共に、撮影場面毎に、この場面を識別する為のシーン識別情報と当該場面での撮影条件を指定する為の条件指定情報とを対応付けた撮影計画情報を記憶管理する撮影計画記憶手段と、この撮影計画情報内のシーン識別情報とこのシーン識別情報に対応する条件指定情報とをデジタルカメラへ送る出力手段とを備え、前記デジタルカメラは、情報処理装置からのシーン識別情報と条件指定情報とを取得して記憶保持する保持手段と、この条件指定情報に対応する撮影条件を撮影パラメータとして設定する設定手段と、この設定手段によって設定された撮影パラメータにしたがって撮影された撮影画像に当該場面のシーン識別情報を付加する付加手段と、この付加手段によってシーン識別情報が付加された撮影画像を情報処理装置へ送る出力手段とを備え、前記情報処理装置は、デジタルカメラからのシーン識別情報付き撮影画像を前記撮影計画の分類体系に合わせて分類管理するようにしたことを特徴とするデジタルカメラシステムを提供する。
更に、コンピュータに対して、上述した請求項１記載の発明に示した主要機能を実現させるためのプログラムを提供する（請求項６記載の発明）。
【００１０】
したがって、請求項１、６記載の発明における情報処理装置は、一連の撮影場面を分類化すると共に、撮影場面毎に、この場面を識別する為のシーン識別情報と当該場面での撮影条件を指定する為の条件指定情報とを対応付けた撮影計画情報を記憶管理している状態において、この撮影計画情報内のシーン識別情報と対応する条件指定情報とをデジタルカメラへ送り、デジタルカメラは、情報処理装置からのシーン識別情報と条件指定情報とを取得して記憶保持すると共に、この条件指定情報に対応する撮影条件を撮影パラメータとして設定し、この設定パラメータにしたがって撮影された撮影画像に当該場面のシーン識別情報を付加して情報処理装置へ送り、情報処理装置は、デジタルカメラからのシーン識別情報付き撮影画像を前記撮影計画の分類体系に合わせて分類管理するようにしたから、撮影計画にしたがって各場面毎に撮影を行う場合に、どの順番で何を撮影すべきかは事前に分かっているという事情を考慮し、撮影計画自体（データベース自体）をカメラ側に転送しておかなくても、どの場面で撮影した画像かを特定することができると共に、撮影場面毎にそれに相応しい条件で撮影した各撮影画像を撮影計画通りに分類整理することができる。したがって、撮影者にあっては、撮影を行う毎に、撮影計画の内容を確認しなくてもよくなり、また、カメラ側にあっても、シーン識別情報を記憶保持して撮影画像に当該シーン識別情報を付加するだけの機能を追加するだけで足り、データベース管理に対応させる為の大幅な設計変更が不要となり、更には、撮影者の技能等に依存することなく、撮影場面毎にそれに適した高品質画像を得ることが可能となる等、実用効果の高いものとなる。
【００１１】
なお、請求項１記載の発明は次のようなものであってもよい。
前記撮影条件を指定する為の条件指定情報は、焦点距離、シャツタ速度、絞り、フィルタ、露出、フラッシュ、ホワイトバランスの各調整値のうち、少なくとも、その何れかの調整値で撮影すべきことを示す撮影条件を指定する為の情報であり、前記情報処理装置は、同一の撮影場面に対応して複数種の条件指定情報をデジタルカメラへ送る（請求項２記載の発明）。
したがって、請求項２記載の発明によれば、請求項１記載の発明と同様の効果を有する他に、同一の撮影場面に対応して複数種の条件指定情報を含めることができる為、同一の場面を異なる撮影条件で撮影することが可能となり、失敗撮影を効果的に防止することもできる。
【００１２】
前記デジタルカメラは、複数種の撮影条件を記憶管理する条件記憶手段を有し、前記設定手段は、同一の撮影場面に複数の条件指定情報が含まれている場合、この複数の条件指定情報の中から任意に選択された条件指定情報に基づいて前記条件記憶手段を検索し、該当する撮影条件を撮影パラメータとして設定する（請求項３記載の発明）。
したがって、請求項３記載の発明によれば、請求項１記載の発明と同様の効果を有する他に、デジタルカメラは、同一の撮影場面に複数の条件指定情報が含まれている場合、この複数の条件の中から任意に選択された条件を撮影パラメータとして設定するようにしたから、例えば、天候状態や照明具合等に応じて予め決められている複数の条件の中から現在の撮影環境に適した条件を選択することができる為、撮影環境の変化にも十分対処することが可能となる。
【００１３】
請求項４記載の発明（第２の発明）は、デジタル撮影を行うデジタルカメラにおいて、複数種の撮影条件を記憶管理する条件記憶手段と、予定している一連の撮影場面毎に、この場面に相応しい撮影条件を指定する為の条件指定情報を記憶管理する指定情報記憶手段と、一連の撮影場面の中から任意の場面が今回の撮影対象として選択された場合に、この選択場面に対応する条件指定情報を読み出す読出手段と、この読出手段によって読み出された条件指定情報に対応する撮影条件を撮影パラメータとして設定する設定手段とを具備するものである。
更に、コンピュータに対して、上述した請求項４記載の発明に示した主要機能を実現させるためのプログラムを提供する（請求項７記載の発明）。
【００１４】
したがって、請求項４、７記載の発明は、複数種の撮影条件を記憶管理すると共に、予定している一連の撮影場面毎に、この場面に相応しい撮影条件を指定する為の条件指定情報を記憶管理している状態において、一連の撮影場面の中から任意の場面が今回の撮影対象として選択された場合に、この選択場面に対応する条件指定情報を読み出すと共に、この条件指定情報に対応する撮影条件を撮影パラメータとして設定するようにしたから、撮影予定の各場面を撮影する場合に、撮影場面が変わる毎に、どのような条件で撮影すべきかを意識しなくても、場面毎にそれに相応しい条件で撮影することができ、誰でも容易に最良の撮影が可能となる。
【００１５】
この場合、一連の撮影場面の中から任意に選択された場面に複数の条件指定情報が含まれている場合には、この複数の条件を選択候補として案内出力する出力手段を設け、前記設定手段は、前記選択候補の中から任意に選択された候補に対応する撮影条件を撮影パラメータとして設定するようにすれば（請求項５記載の発明）、複数の条件指定情報の中から任意の条件指定情報を選択することができ、例えば、天候や照明具合等に応じて現在の撮影環境に適した条件を選択することができる為、撮影環境の変化にも十分対処することが可能となり、現在の撮影環境に適した高品質画像を得ることが可能となる。
【００１６】
【発明の実施の形態】
以下、図１〜図１４を参照してこの発明の一実施形態を説明する。
図１は、この実施形態におけるデジタルカメラシステムの全体構成を示したブロック図である。
この実施形態のデジタルカメラシステムは、パーソナルコンピュータ（ＰＣ）１とデジタルカメラ２とを備え、一連の作業を構成する各作業過程毎にカメラ撮影された各撮影画像をその作業状況確認用の資料として分類管理するようにしたものである。すなわち、この実施形態におけるデジタルカメラシステム（作業状況管理システム）は、土木工事の請負会社側に設備されたもので、事前に作成した土木工事に関する撮影計画にしたがって各作業工程毎にその作業場面での撮影を行うと、各作業場面で撮影された撮影画像を作業工程毎に分類仕分けして記憶管理すると共に、分類仕分けされた各撮影画像に基づいて当該発注元へ提出する為の写真帳（工事記録アルバム）を作成可能としたものである。
【００１７】
このＰＣ１には、この実施形態特有の工事撮影計画作成アプリケーション（ＡＰ）および画像分類アプリケーション等が備えられており、ＰＣ１は、この工事撮影計画作成アプリケーションにしたがって工事別撮影計画データベース（後述する工程データベース）を作成し、また、デジタルカメラ２から取得した各撮影画像を画像分類アプリケーションにしたがって分類仕分けして記憶管理するようにしている。また、デジタルカメラ２は、ＣＣＤイメージセンサ等を撮像素子として使用し、フルカラー撮影を行う携帯型のスチルカメラである。
【００１８】
ここで、ＰＣ１とデジタルカメラ２との間でのデータの受け渡しは、２通り存在し、ＰＣ１にケーブル接続されているクレードル（充電機能付きの中継器）３にデジタルカメラ２を載置することによって、クレードル３を介してデータの送受信を行ったり、ＰＣ１にケーブル接続されているメディア用インターフェイス４にＤＶＤ等の可搬型の記録メディア５を装着することによって、当該記録メディア５を介してデータの受け渡しを行うようにしている。
【００１９】
図２は、ＰＣ１側に設けられている工事名データベース１１のレコード構造を示した図である。
この工事名データベース１１は、請負会社が受注した工事毎に、その工事の受発注に関する情報を記憶管理するもので、この各レコード（工事名レコード）は、「工事名称」、「工事番号」、「発注年度」、「発注元」、「請負者名」、「シーン番号生成済みフラグ」の各項目を有している。「工事番号」は、工事毎に付加される工事識別用の一連番号であり、「シーン番号生成済みフラグ」は、工事における各作業工程毎に、その作業場面を識別する為のシーン番号（後述する）を生成済みであることを示す為のフラグである。
【００２０】
図３は、ＰＣ１側に設けられている工程データベース１２のレコード構造を示した図である。
工程データベース１２は、一連の工事を構成する各作業工程を分類化すると共に、各工程毎に、この作業場面で予定している撮影内容と当該作業場面を識別する為のシーン番号とを対応付けた撮影計画を記憶管理するもので、この各レコード（工程レコード）は、一連の工事を構成する作業工程毎に、「工事番号」、「工程番号」、「区分」、「工種」、「種別」、「細別」、「撮影項目」、「撮影時期」、「撮影頻度」、「シーン番号」、「第１条件番号」、「第２条件番号」の各項目を有している。「工事番号」は、上述の工事名レコードと当該工程レコードととをリンクさせる為の情報であり、「工程番号」は、工程毎に付加される工程識別用の一連番号である。なお、複数の工程レコードによって構成される撮影計画は、一連の工事を階層的に表したもので、各レコードの項目は、「工事番号」＞「区分」＞「工種」＞「種別」‥‥の階層関係となっている。つまり、第１階層（ルート）は、「工事番号」、第２階層は、「区分」、第３階層は、「工種」、第４階層は、「種別」、‥‥となっている。
【００２１】
ここで、土木工事を例示すると、「区分」は、“出来形管理写真”等のような撮影区分を示し、「工種」は、“舗装工”等のような工程の分類項目であり、「種別」は、“路盤工（１）”、“路盤工（２）”、“コンクリート舗装”等のような工種の分類項目である。また、「撮影項目」は、“敷均し、転圧状況”、“整正状況”等のような撮影の対象項目を示し、「撮影時期」は、“施工中”、“施工後”等を示し、「撮影頻度」は、“各層毎に１回”等を示す。更に、「シーン番号」は、「工事番号」に「工程番号」を付加することによって自動生成されたもので、その上位側が「工事番号」、下位側が「工程番号」とした組み合わせ番号であり、撮影対象としての作業場面を識別する為の識別情報である。
【００２２】
「第１条件番号」、「第２条件番号」は、カメラ撮影時に自動調整される各種の撮影パラメータ（撮影条件）を各場面毎に指定する為の条件指定情報であり、撮影者の技能等に依存することなく、撮影場面毎にそれに適した高品質画像を得る為に予め撮影計画の一部として設定されたものである。ここで、条件指定情報として１つの場面（工程）に対して、２種類の条件番号を選択候補として設定可能となっているが、勿論、条件番号を１種類だけ設定するか、２種類設定するかは任意である。なお、「シーン番号」、「第１条件番号」、「第２条件番号」は、デジタルカメラ２側へ転送されるもので、この実施形態の特徴的なデータである。
【００２３】
このような構成の工程レコードの中からＰＣ１は、「区分」、「工種」、「種別」、「細別」、「撮影項目」、「撮影時期」を読み出して撮影内容を案内する為のナビゲーション情報としてデジタルカメラ２へ転送するようにしているが、その際、このナビゲーション情報をイメージデーダ（ナビゲーション画像）に変換すると共に、このナビゲーション画像にそのファイル属性として当該「シーン番号」および「第１条件番号」、「第２条件番号」を付加してＰＣ１へ転送するようにしている。ここで、ＰＣ１は、ナビゲーション画像をデジタルカメラ２へ転送するのに先だって、各工程レコード毎に、その「工事番号」、「工程番号」に基づいて「シーン番号」を生成して工程レコード内の対応項目位置にセットするようにしている。なお、シーン番号・条件番号付きのナビゲーション画像を１工程分転送するか、複数工程分の転送するかは、任意に選択可能となっている。ここで、デジタルカメラ２において、例えば、１日に１場面のように、毎日、異なる作業場面を撮影するような場合には、その都度、ＰＣ１からシーン番号を取得して上書保持するようにすれば、デジタルカメラ２内のシーン番号は１つ（１工程分）となる。
【００２４】
図４は、デジタルカメラ２側に設けられている撮影条件テーブル２７の内容を示した図である。
この撮影条件テーブル２７は、カメラ撮影時に自動調整される撮影条件（撮影パラメータ）を記憶管理するもので、複数種の撮影条件の中から撮影場面毎に、その場面に相応しい撮影条件を任意に選択指定するようにしている。ここで、撮影条件毎に、「条件番号」、「条件番号」、「焦点距離」、「シャツタ速度」、「絞り」、「フィルタ」、「露出」、「フラッシュ」、「ホワイトバランス」の各項目を有している。「条件番号」は、撮影条件を指定する為の一連番号（行番号）である。撮影条件を構成する各項目データは、「焦点距離」、「シャツタ速度」、「絞り」、「フィルタ」、「露出」、「フラッシュ」、「ホワイトバランス」に対応する調整値である。
【００２５】
図５は、ＰＣ１側に設けられている条件リストテーブル１３の内容を示した図である。
この条件リストテーブル１３は、撮影条件テーブル１３に設定されている各種の撮影条件の中から撮影場面毎に相応しい撮影条件を選択する際に、各撮影条件の意味を案内説明する為のリストを記憶管理するもので、このリスト内容を確認し、場面毎に相応しい撮影条件を任意に選択可能としている。この条件リストテーブル１３は、撮影条件毎に、「条件番号」および「意味」の項目を有している。この例では、「条件番号」が“１”の撮影条件は、「屋外、昼、晴れ、遠距離」に適した撮影条件であることを示し、「条件番号」が“２”の撮影条件は、「屋外、昼、曇り、遠距離」に適した撮影条件であることを示している。同様に、「条件番号」が“３”の撮影条件は、「屋外、夜、遠距離」、また、「条件番号」が“４”の撮影条件は、「屋外、昼、晴れ、近距離」に適した撮影条件であることを示している。なお、建築工事における屋内撮影の場合には、「条件番号」が“１１”〜“１３”の撮影条件が適し、「条件番号」が“１３”の撮影条件は、「屋内、近距離」に適した撮影条件であることを示している。
【００２６】
図６は、デジタルカメラ２の基本的構成要素を示したブロック図である。
デジタルカメラ２は、ＣＰＵ２１、カメラ撮影部２２、操作部２３、通信部２４、表示部２５、記憶部２６、記録メディア５を基本構成要素とする構成となっている。ＣＰＵ２１は、オペレーティングシステムや各種アプリケーションソフトにしたがってこのデジタルカメラ２の全体動作を制御する中央演算処理装置である。カメラ撮影部２２は、撮影レンズ、ミラー等のレンズ・ミラーブロック、ＣＣＤイメージセンサ等の撮像素子、その駆動系等を備えたもので、ＣＰＵ２１は、オートフォーカス時の駆動制御、シャッター駆動制御、撮影画像の取り込み等を行う。
【００２７】
操作部２３は、シャッタボタン、モード切換えボタン、セットボタン、順送りボタン、逆送りボタン等の各種のボタンを有し、その操作信号をＣＰＵ２１へ与える。なお、これらのボタンの機能については後述する。通信部２４は、クレードル３を介してＰＣ１との間でデータの送受信を行う。表示部２５は、例えば、液晶表示部であり、モニタ画面、ファインダ画面、画像再生画面として使用される。記憶部２５は、オペレーティングシステムや各種アプリケーションソフト等が格納されているＲＯＭやワーク用のＲＡＭ等であり、ＰＣ１からのシーン番号・条件番号付きナビゲーション画像を受け取ると、ＣＰＵ２１は、これを記憶部２５内に保存保管する。記録メディア５は、ＤＶＤ等の着脱自在な画像記録用の記憶媒体である。
【００２８】
この記憶部２５内には、ＰＣ１側に設けられている条件リストテーブル１３と同様の構成の条件リストテーブルが設けられている。なお、図５の中で括弧内の符号は、デジタルカメラ２側に設けられている条件リストテーブル２８であることを示している。このデジタルカメラ２側の条件リストテーブル２８は、撮影者に対して条件番号に対応する撮影条件の意味を案内説明する為に表示されるもので、この案内表示画面の中から現在の撮影環境に相応しい条件番号が任意に選択指定されると、デジタルカメラ２は、この選択番号に基づいて撮影条件テーブル２７をアクセスして該当する撮影条件を読み出し、「焦点距離」、「シャツタ速度」、「絞り」、「フィルタ」、「露出」、「フラッシュ」、「ホワイトバランス」に対応する各調整値を今回の撮影時における撮影パラメータとして設定する。
【００２９】
ここで、デジタルカメラ２は、当該設定パラメータにしたがった撮影を行うと、１画像１ファイル形式の画像ファイルを生成し、このファイル属性として「シーン番号」を当該画像ファイルに付加して記録メディア５内に記録保管するようにしている。この記録メディア５内に保管されたシーン番号付き画像ファイルは、ＰＣ１へ転送されるが、その際、ＰＣ１は、このシーン番号付き画像ファイルに基づいて当該画像ファイルを撮影計画の分類体系に合わせて分類仕分けして記憶管理するようにしている。
【００３０】
なお、記憶部２５内のナビゲーション画像は、ナビゲーション表示の指示操作に応答して表示出力される。また、記憶部２５内に複数工程分のシーン番号がシーン番号順にセットされている状態において、１作業場面分の撮影終了後に順送りボタンが操作された場合、デジタルカメラ２は、現在指定されているシーン番号（カレント番号）に対して次の順位のシーン番号を読出指定し、次に撮影された画像に当該指定のシーン番号を付加するようにしている。また、逆送りボタンが操作された場合には、カレント番号に対して１つ前の順位のシーン番号を読出指定し、次に撮影された画像に当該指定のシーン番号を付加するようにしている。更に、１作業場面分の撮影終了後に逆送り操作、逆送り操作の何れも行われない場合には、前回と同じ作業場面を撮影するものと認識して、前回と同一のシーン番号を次に撮影される撮影画像に付加するようにしている。
【００３１】
次に、この実施形態におけるデジタルカメラシステムの動作概念を図７〜図１２に示すフローチャートを参照して説明する。ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。すなわち、記録媒体の他、伝送媒体を介して外部供給されたプログラム／データを利用してこの実施形態特有の動作を実行することもできる。
【００３２】
図７は、ＰＣ１側において、工事記録用として事前に作成する撮影計画の作成処理を示したフローチャートである。
先ず、ＰＣ１は、工事名データベース１１をアクセスし、作成済みの各工事名レコードの中から「工事名称」、「発注年度」の項目データをそれぞれ取得して、工事名一覧画面内に表示させる（ステップＡ１）。
図１３は、この工事名一覧画面を示した図であり、この一覧画面には、請け負った工事毎に、その「工事名称」、「発注年度」が一覧表示されていると共に、「選択ボタン」が配置されている。この「選択ボタン」は、既に作成されている撮影計画の一部を修正・変更する場合に、その対象となる工事を選択する為の操作部である。また、一覧画面には、「新規作成ボタン」、「終了ボタン」が配置されている。この「新規作成ボタン」は、撮影計画の新規作成を指示する為の操作部であり、「終了ボタン」は、撮影計画の作成終了を指示する為の操作部である。
【００３３】
いま、「新規作成ボタン」が操作された場合には（ステップＡ２）、新規エディタ画面に切換え表示させる（ステップＡ３）。
この新規エディタ画面は、図示省略したが、ヘッダ部と明細部とを有する構成となっている。このヘッダ部には、工事名レコードへの入力項目として、「工事名称」、「工事番号」、「発注年度」、「発注元」、「請負者名」が設けられている。また、明細部の各行は、各工程に１対１に対応付けられたもので、この明細部の各行は、一連番号である「行番号」の他に、工程レコードへの入力項目として、「区分」、「工種」、「種別」、「細別」、「撮影項目」、「撮影時期」、「撮影頻度」が設けられている。なお、この新規エディタ画面には、「終了ボタン」等の各種のボタンが配置されている。
【００３４】
ここで、新規エディタ画面のヘッダ部に、「工事名称」、「工事番号」、「発注年度」、「発注元」、「請負者名」の各項目データを入力した後（ステップＡ４）、明細部に各行毎に「区分」、「工種」、「種別」、「細別」、「撮影項目」、「撮影時期」、「撮影頻度」の各分類項目データを入力すると共に（ステップＡ５）、当該場面を撮影する際の撮影条件を指定する条件番号の入力を行う（ステップＡ６〜Ａ８）。この条件番号の入力時には、条件リストテーブル１３の内容がリスト表示されるので（ステップＡ６）、このリスト画面を確認し、当該工程（場面）に相応しい撮影条件として１種類あるいは２種類の条件番号を選択して入力する（ステップＡ７、Ａ８）。この場合、例えば、屋外撮影か屋内撮影か、遠距離撮影か近距離撮影か、昼間の撮影か夜間の撮影かを考慮する他に、撮影時の天気状態や被写体の種類等をも総合的に考慮することによって場面に相応しい撮影条件となるように１種類あるいは２種類の条件番号を選択入力する。
【００３５】
ここで、１工程分のデータ入力が終わると、改行処理が行われ、以下、全工程分の入力が終わるまで（ステップＡ９）、上述の入力処理が繰り返される（ステップＡ５〜Ａ９）。いま、全工程分の入力終了が指示されると（ステップＡ９）、新規エディタ画面の明細部を構成する「行番号」を工程レコードの「工程番号」（デフォルト値）として取得するが、工程順の変更等を行う為に「工程番号」が直接入力されるとデフォルト値の変更が行われる（ステップＡ１０）。
【００３６】
これによって１工事分のデータ入力が完了すると、ヘッダ部内の入力データに基づいて工事名レコードを作成して、工事名データベース１１に登録する（ステップＡ１１）。また、明細部内の各行データを１行毎に読み出し、この行データに「工事番号」を付加しながら工程レコードを作成する処理を１行毎に繰り返して工程データベース１２内に登録する（ステップＡ１２）。なお、この段階では、各工程レコード内の「シーン番号」は、それぞれ空欄となっている。
ここで、新規エディタ画面内の「終了ボタン」が操作されると（ステップＡ１３）、最初の工事名一覧画面に戻る（ステップＡ１）。
【００３７】
また、工事名一覧画面内の「選択ボタン」が操作されると（ステップＡ１４）、選択指定された「工事名」に基づいて工事名データベース１１をアクセスし、対応する工事名レコードを読み出すと共に（ステップＡ１５）、その中から取得した「工事番号」に基づいて工程データベース１２をアクセスし、「工事番号」に一致する全ての工程レコードを読み出す（ステップＡ１６）。そして、この工事名レコードおよび各工程レコードは、上述のエディタ画面内に表示される（ステップＡ１７）。ここで、エディタ画面内のデータを変更、修正した後に（ステップＡ１８）、編集終了が指示されると、編集後のデータに基づいて工事名レコード、工程レコードの内容が更新されて工事名データベース１１、工程データベース１２内に上書される（ステップＡ１９）。なお、工事名一覧画面内の終了ボタンが操作された場合には（ステップＡ２０）、撮影計画の作成終了となる。
【００３８】
図８および図９は、ＰＣ１がナビゲーション画像をデジタルカメラ２へ転送する際の動作を示したフローチャートである。
先ず、ＰＣ１は、クレードル３を介してデジタルカメラ２が接続されているか（ステップＡ２１）、メディア用インターフェイス４に可搬型記録メディア５が接続されているかを調べる（ステップＡ２２）。いま、デジタルカメラ２が接続されていたり、可搬型記録メディア５が接続されている場合には、工事名データベース１１をアクセスし、作成済み工事名レコードによる工事名一覧画面を表示させる（ステップＡ２３）。ここで、今回の対象工事を指定する為に対応する「選択ボタン」が操作されると（ステップＡ２４）、その工事名レコードを読み出し（ステップＡ２５）、この工事名レコード内の「シーン番号生成済みフラグ」を参照して、フラグの有無をチェックする（ステップＡ２６）。
【００３９】
最初は、「シーン番号生成済みフラグ」はセットされていないので、工事名レコード内の「工事番号」に基づいて工程データベース１２をアクセスし、「工事番号」に一致する全ての工程レコードの中からその「工程順番」が若い順に１レコード分読み出す（ステップＡ２７）。そして、この工程レコード内の「工事番号」に「工程番号」を付加した組合番号を「シーン番号」として生成し（ステップＡ２８）、当該工程レコード内の対応項目位置にセットする（ステップＡ２９）。
以下、「工事番号」に一致する全ての工程レコードの中からその「工程順番」が若い順に１レコードずつ順次読み出しながら「シーン番号」を生成して当該工程レコード内にセットする処理を繰り返す（ステップＡ２７〜Ａ３０）。
【００４０】
これによって全工程分の処理が完了すると（ステップＡ３０）、当該工事名レコード内に「シーン番号生成済みフラグ」をセットする（ステップＡ３１）。そして、図９のステップＡ３３に移り、当該「工事番号」に一致する全ての工程レコードを一覧表示させる。
一方、「シーン番号生成済みフラグ」がセットされていれば（ステップＡ２６でＹＥＳ）、当該工事名レコード内の「工事番号」に一致する全ての工程レコードを読み出す（ステップＡ３２）。そして、図９のステップＡ３３に移り、当該「工事番号」に一致する全ての工程レコードを一覧表示させる。
【００４１】
この一覧表示の中から今回の撮影対象である工程のレコードが選択指定された場合には（ステップＡ３４）、その場面での撮影内容を案内する為のナビゲーション情報として、当該選択レコード（工程レコード）を構成する各項目のうち、「区分」、「工種」、「種別」、「細別」、「撮影項目」、「撮影時期」を読み出してイメージデータに変換してナビゲーション画像を作成する（ステップＡ３５）。そして、このナビゲーション画像にそのファイル属性として当該工程レコードから「シーン番号」を読み出して付加すると共に、「第１条件番号」および「第２条件番号」を付加する（ステップＡ３６）。ここで、複数の工程を今回の撮影対象とする場合には、他の工程選択を指示する（ステップＡ３７）。すると、ステップＡ３４に戻って上述の動作が繰り返される（ステップＡ３４〜Ａ３７）。
【００４２】
このようにして１工程分または複数工程分のシーン番号・条件番号付きナビゲーション画像が生成されると、ＰＣ１は、その転送先を調べる（ステップＡ３８）。つまり、クレードル３を介してデジタルカメラ２が接続されているか、メディア用インターフェイス４に可搬型記録メディア５が接続されているかを調べ、転送先がデジタルカメラ２であれば、デジタルカメラ２に対して転送要求を行い（ステップＡ３９）、それに応答してデジタルカメラ２から転送可を受けた場合には、１工程分または複数工程分のナビゲーション画像をデジタルカメラ２へ送信する（ステップＡ４０）。また、転送先が可搬型記録メディア５であれば、１工程分または複数工程分のナビゲーション画像を可搬型記録メディア５へ書込む（ステップＡ４１）。
【００４３】
図１０および図１１は、デジタルカメラ２側の動作を示したフローチャートである。
先ず、デジタルカメラ２は、クレードル３を介してＰＣ１に接続されているかを調べ（ステップＢ１）、ＰＣ１に接続されいなければ、この実施形態の固有の工事撮影モードに切換える為のモード切換えボタンが操作されたかを調べる（ステップＢ２）。ここで、工事撮影モードでなければ、ステップＢ３に移って通常の撮影状態となり、シャッタ操作に応答して撮影された画像をそのまま記録保存する通常撮影処理が行われる。
【００４４】
いま、デジタルカメラ２がクレードル３を介してＰＣ１に接続されている場合には（ステップＢ１でＹＥＳ）、ＰＣ１からの要求有無を調べ（ステップＢ４）、何れの要求もなければステップＢ１に戻るが、ＰＣ１からの要求がナビゲーション画像の転送要求であれば（ステップＢ５でＹＥＳ）、ＰＣ１から送信されて来た１工程分あるいは複数工程分のシーン番号付きナビゲーション画像を受信して（ステップＢ６）、記録メディア５内に記録保管しておく（ステップＢ７）。この状態において、工事撮影モードボタンが操作された場合には（ステップＢ２でＹＥＳ）、記録メディア５をアクセスし、シーン番号付きのナビゲーション画像を当該シーン番号の若い順にソートする並び替え処理を行った後に（ステップＢ１０）、その先頭から１工程分のシーン番号をカレント番号として読み出しておく（ステップＢ１１）。
【００４５】
そして、図１１のステップＢ１２に移り、ボタン操作の有無を調べ、セットボタン、順送りボタン、逆送りボタン等が操作されるまで操作待ち状態となる。ここで、セットボタンは、工事撮影モードにおいて、撮影可能な状態にセットするもので、セットボタンが操作された場合には（ステップＢ１３）、現在のシーン番号（カレント番号）に対応する条件番号が複数（２種類）設定されているか否かを調べる（ステップＢ１４）。ここで、条件番号が２種類であれば、「第１条件番号」および「第１条件番号」に基づいて条件リストテーブル２８をアクセスし、意味付きの条件番号を読み出してリスト表示する（ステップＢ１５）。
【００４６】
このリスト画面の中から任意の条件番号が選択された場合には（ステップＢ１６）、この選択番号に基づいて撮影条件テーブル２７をアクセスし、該当する複数項目分の撮影条件を読み出し（ステップＢ１７）、撮影パラメータとしてセットする（ステップＢ１８）。これによって「焦点距離」、「シャツタ速度」、「絞り」、「フィルタ」、「露出」、「フラッシュ」、「ホワイトバランス」に対応する各調整値が撮影パラメータとしてセットされる。なお、現在のシーン番号に対応する条件番号が１種類であれば、意味付きの条件番号のリスト表示を行わず、当該条件番号対応の撮影条件をパラメータとしてセットする処理に移る（ステップＢ１７、Ｂ１８）。
【００４７】
そして、デジタルカメラ２は、カメラモニタ画像を取得してモニタ表示させる（ステップＢ１９）。この状態において、シャッタ操作の有無（ステップＢ２０）および解除操作の有無を調べる（ステップＢ２１）。ここで、解除操作が行われた場合には、撮影可能なセット状態を解除する為に、ステップＢ１２に戻る。いま、工事撮影モードにおいて、セットボタン操作後にシャッタ操作が行われると（ステップＢ２０でＹＥＳ）、現在セット中の撮影パラメータにしたがった撮影が行われる（ステップＢ２２）。すると、この撮影画像を取り込んで画像ファイルを作成すると共に、それを所定サイズに圧縮した後に（ステップＢ２３）、そのファイル属性として日時等を付加し（ステップＢ２４）、更に、現在のシーン番号（カレント番号）を当該ファイル属性として付加する（ステップＢ２５）。
【００４８】
このようにしてファイル属性が付加された画像ファイルは、記録メディア５内に記録保管される（ステップＢ２６）。以下、ステップＢ１９に戻る為、シャッタ操作が行われる毎に、現在セット中の撮影パラメータにしたがった撮影が行われ、新たな撮影画像を取り込んで画像ファイルを生成し、これにファイル属性を付加して記録保存する動作が繰り返される（ステップＢ１９〜Ｂ２６）。したがって、同一の作業場面を繰り返し何枚も撮影した場合には、撮影パラメータにしたがった撮影が行われると共に、各画像ファイルには、同一のシーン番号（カレント番号）がそれぞれ付加されることになる。なお、同一の作業場面を他の条件で撮影する場合には、解除ボタンを操作して（ステップＢ２１でＹＥＳ）、撮影可能状態を一旦解除した後、再びセットボタンを操作すると、意味付き条件番号のリストが再表示されるので、他の条件を選択することができる。
【００４９】
ここで、次の作業場面を撮影する為に、順送りボタンが操作された場合には（ステップＢ２７でＹＥＳ）、現在のシーン番号（カレント番号）に対して１つ先の順位であるシーン番号を指定することによってカレント番号の順送り処理（インクリメント処理）を行う（ステップＢ２８）。そして、ステップＢ１２に戻って操作待ち状態となる。ここで、次の作業場面を撮影する為に、セットボタンを操作すると、上述した撮影パラメータのセット処理に移り（ステップＢ１４〜Ｂ１８）、順送り後の新たなシーン番号に対応する条件番号にしたがった撮影パラメータがセットされる。この状態において、シャッタボタンが操作されると（ステップＢ２０）、新たに撮影された画像ファイルには、順送り後の新たなシーン番号が付加されて記録される（ステップＢ２２〜Ｂ２６）。
【００５０】
また、１つ前の作業場面を撮影する為に、逆送りボタンが操作された場合には（ステップＢ２９でＹＥＳ）、現在のシーン番号（カレント番号）に対して１つ前の順位であるシーン番号を指定することによってカレント番号の逆送り処理（デクリメント処理）を行う（ステップＢ３０）。そして、ステップＢ１２に戻って操作待ち状態となる。ここで、１つ前の作業場面を撮影する為に、セットボタンを操作すると、上述した撮影パラメータのセット処理に移り（ステップＢ１４〜Ｂ１８）、逆送り後の新たなシーン番号に対応する条件番号にしたがった撮影パラメータがセットされる。この状態において、シャッタ操作か行われると（ステップＢ２０）、新たに撮影された画像ファイルには、逆送り後の新たなシーン番号が付加されて記録される（ステップＢ２２〜Ｂ２６）。
【００５１】
他方、セットボタンが操作される前に、解除ボタンが操作された場合には（ステップＢ３１でＹＥＳ）、工事撮影モードが解除されて図１０の最初のステップＢ１に戻るが、ナビゲーション画像の案内表示を指示する為の案内ボタンが操作された場合には（ステップＢ３２でＹＥＳ）、現在のシーン番号（カレント番号）に対応付けられているナビゲーション画像を読み出して表示出力させる（ステップＢ３３）。そして、ステップＢ１２に移って操作待ち状態となる。この場合、ナビゲーション画像は、上述したように、工程レコード内の「区分」、「工種」、「種別」、「細別」、「撮影項目」、「撮影時期」を案内する為の情報であり、撮影現場にて今回の撮影内容を確認する時に案内表示されるもので、撮影者は、必要に応じてナビゲーション画像を確認した後にシャッタ操作を行うことができる。
【００５２】
このようにして作業現場での撮影が完了すると、デジタルカメラ２内の画像ファイルをＰＣ１へ転送する処理が行われる。この場合、ＰＣ１とデジタルカメラ２との間において画像ファイルの受け渡しは、クレードル３あるいは可搬型記録メディア５を介して行われる。
図１２は、ＰＣ１側における画像ファイルの読込処理を示したフローチャートである。先ず、ＰＣ１は、クレードル３を介してデジタルカメラ２が接続されたか（ステップＡ５１）、可搬型記録メディア５が接続されたかをチェックする（ステップＡ４２）。いま、デジタルカメラ２が接続された場合には、デジタルカメラ２に対してファイルアップ要求を行う（ステップＡ５３）。
【００５３】
ここで、デジタルカメラ２側においては、クレードル３を介してＰＣ１に接続されている状態において（図１０のステップＢ１）、ＰＣ１からの要求を受信した時に（ステップＢ４）、それがファイルアップ要求であれば（ステップＢ８）、記録メディア５内に記録保管されている全てのシーン番号付き画像ファイルを読み出し、クレードル３を介してＰＣ１へ送信する処理を行う（ステップＢ９）。
【００５４】
一方、ＰＣ１側においては、デジタルカメラ２からクレードル３を介して送信されて来た全てのシーン番号付き画像ファイルを受信すると（図１２のステップＡ５４）、これらを未分類記憶エリア内に一時保存しておく（ステップＡ５６）。
一方、ＰＣ１に可搬型記録メディア５が接続されている場合には（ステップＡ５２）、メディア用インターフェイス４を介して可搬型記録メディア５をアクセスし、それに記録保管されている全てのシーン番号付き画像ファイルを読み込み（ステップＡ５５）、これらを未分類記憶エリア内に一時保存しておく（ステップＡ５６）。
【００５５】
この状態において、ＰＣ１は、未分類記憶エリア内の各シーン番号を読み出しながら工事名データベース１１および工程データベース１２をアクセスすると共に、当該工事の全工程分の工程レコードを取得し、この各工程レコードの分類体系に合わせたフォルダ階層構造を作成してそのフォルダアイコンを表示出力させる（ステップＢ５７）。言換えれば、撮影計画の分類体系に合わせた階層構造のフォルダアイコンを表示させる。このような構造のフォルダアイコンが表示されている状態において、ＰＣ１は、上述の未分類記憶エリアをアクセスし、その先頭から１ファイル分の未分類画像ファイルを読出対象として指定した後（ステップＡ５８）、そのファイル属性内の「シーン番号」を読み出す（ステップＡ５９）。そして、このシーン番号に対応する分類別フォルダ（工程フォルダ）の存在有無をチェックし（ステップＡ６０）、該当するフォルダが無ければ、このシーン番号に対応する分類別フォルダ（工程フォルダ）を新規生成する（ステップＡ６１）。
【００５６】
図１４は、階層構造の分類済み記憶エリア（分類別フォルダ）の内容を例示したもので、第１階層（ルート）には、「工事名称＝“新青梅街道舗装工”」のフォルダ、第２階層には、「区分＝“出来形管理写真”」のフォルダ、第３階層には、「工種＝“塗装工”」のフォルダ、第４階層には、「種別＝“路盤（１）”、“路盤（２）”、“コンクリート舗装”‥‥」のフォルダ‥‥となっている。
【００５７】
そして、ＰＣ１は、未分類画像ファイルを対応する工程フォルダ内に分類保管した後（ステップＡ６２）、上述したフォルダ階層のアイコン表示画面の中から該当する工程のアイコン位置を特定し、この特定位置に当該ファイルのアイコンを対応付けて表示出力させる（ステップＡ６３）。この場合、フォルダ階層表示画面には、そのフォルダアイコンと共に、そのフォルダ内に格納された画像ファイルのアイコンが並列的に表示される。以下、上述の未分類記憶エリア内に未分類画像ファイルが残っているかを調べ（ステップＡ６４でＹＥＳ）、この未分類画像ファイルを有れば、この未分類画像ファイルを１ファイル毎に読み出しながら分類別に保管整理する処理を繰り返す（ステップＡ５８〜Ａ６４）。
【００５８】
以上のように、この実施形態においてＰＣ１は、撮影計画としての工程データベース１２を記憶管理すると共に、この工程データベース１２から作業場面を識別する為のシーン番号と当該場面での撮影条件を指定する為の条件番号とを読み出してデジタルカメラ２へ転送し、デジタルカメラ２は、ＰＣ１からのシーン番号と条件番号とを取得して記憶保持しておき、この条件番号に対応する撮影条件を撮影パラメータとして設定し、この設定パラメータにしたがって撮影された撮影画像に当該場面のシーン番号を付加してＰＣ１へ送り、ＰＣ１は、デジタルカメラ２からのシーン番号付き撮影画像を撮影計画の分類体系に合わせて分類管理するようにしたから、撮影計画にしたがって各場面毎に撮影を行う場合に、どの順番で何を撮影すべきかは事前に分かっているという事情を考慮し、撮影計画自体（データベース自体）をカメラ側に転送しておかなくても、どの場面で撮影した画像かを特定することができると共に、撮影場面毎にそれに相応しい条件で撮影した各撮影画像を撮影計画の分類体系に合わせて分類整理することができる。したがって、撮影者にあっては、撮影を行う毎に、撮影計画の内容を確認しなくてもよくなり、また、カメラ側にあっても、シーン番号を記憶保持して撮影画像に当該シーン番号を付加するだけの機能を追加するだけで足り、データベース管理に対応させる為の大幅な設計変更が不要となり、更には、撮影者の技能等に依存することなく、撮影場面毎にそれに適した高品質画像を得ることが可能とな等、実用効果の高いものとなる。
【００５９】
この場合、同一の撮影場面に対応して複数種の条件番号を含めることができる為、デジタルカメラ２は、同一の場面を異なる撮影条件で撮影することが可能となり、失敗撮影を効果的に防止することもできる。
また、デジタルカメラ２は、同一の撮影場面に複数の条件番号が含まれている場合、この複数の条件番号の中から任意の条件番号を選択し、この番号に対応する条件を撮影パラメータとして設定するようにしたから、例えば、天候状態や照明具合等に応じて予め決められている複数の条件の中から現在の撮影環境に適した条件を選択することができる為、撮影環境の変化にも対処することが可能となる。
【００６０】
また、撮影計画としての工程データベース１２は、一連の工事を構成する各作業工程を階層的に分類した階層構造の情報であり、ＰＣ１は、デジタルカメラ２からのシーン番号付き撮影画像を分類仕分けする際に、この撮影計画の分類体系に合わせて階層分類するようにしたから、使い勝って良い画像管理が可能となると共に、分類仕分けされた各撮影画像に基づいて発注元へ提出する為の写真帳（工事記録アルバム）を作成する場合も、その作成を容易に行うことができる。
また、ＰＣ１は、作業場面を識別する為のシーン番号をデジタルカメラ２側へ転送する際に、クレードル３を介してＰＣ１とデジタルカメラ２との間でデータの送受信を行う他に、ＤＶＤ等の可搬型記録メディア５を介してＰＣ１とデジタルカメラ２との間でデータの受け渡しを行うとができるので、更に利便性を高めることが可能となる。
【００６１】
一方、デジタルカメラ２は、撮影条件テーブル２７を有すると共に、予定している一連の撮影場面毎に、この場面に相応しい撮影条件を指定する為の条件番号を記憶管理し、一連の場面の中から任意の場面が今回の撮影対象として選択された場合に、この選択場面に対応する条件番号を読み出すと共に、この条件番号に対応する撮影条件を撮影パラメータとして設定するようにしたから、撮影予定の各場面を撮影する場合に、撮影場面が変わる毎に、どのような条件で撮影すべきかを意識しなくても、場面毎にそれに相応しい条件で撮影することができ、誰でも容易に最良の撮影が可能となる
【００６２】
この場合、一連の撮影場面の中から任意に選択された場面に複数の条件番号が含まれている場合には、この複数の条件番号とその意味をリスト表示し、このリスト表示の中から任意に選択された候補に対応する撮影条件を撮影パラメータとして設定するようにしたから、複数の条件番号の中から任意の条件番号を選択することができ、例えば、天候状態や照明具合等に応じて現在の撮影環境に適した条件を選択することができる為、撮影環境の変化にも対処することが可能となる。
【００６３】
上述した実施形態においては、「工事番号」に「工程番号」を付加することによって、「工事番号」と「工程番号」との組合番号を「シーン番号」として生成するようにしたが、「シーン番号」の構成は任意であり、例えば、上位階層から下位階層までの複数項目分の分類情報を組み合わせたものであってもよい。
また、上述した実施形態においては、１つの撮影場面に２種類の条件番号を設定可能としたが、その数は任意である。
【００６４】
その他、上述した実施形態においては、土木工事の撮影計画を例示した場合を示したが、一連の作業としては、勿論、土木工事に限らず、建築工事であってもよく、また、基礎工事（ボーリング）、下水道工事、ガス工事、電気工事、電話工事、空調施設工事等であってもよく、更には、各種プラントや電力送電線の監視・点検・修理などの保全システムあるいは損害保険業、警備業、不動産業、運輸業、倉庫業等の作業であってもよい。要するに、一連の作業状況を各作業過程毎に管理する作業状況管理システムであれば、監視対象の作業は問わない。
【００６５】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。すなわち、コンピュータが読み取り可能なプログラムコードを有する記録媒体であって、予定している一連の撮影場面を分類化すると共に、撮影場面毎に、この場面を識別する為のシーン識別情報と当該場面での撮影条件を指定する為の条件指定情報とを対応付けた撮影計画情報を記憶管理する機能と、この撮影計画情報内のシーン識別情報とこのシーン識別情報に対応する条件指定情報とをデジタルカメラへ送る出力機能と、情報処理装置からのシーン識別情報と条件指定情報とを記憶保持している状態において、この条件指定情報に対応する撮影条件を撮影パラメータとして設定する機能と、設定された撮影パラメータにしたがって撮影された撮影画像に当該場面のシーン識別情報を付加する機能と、シーン識別情報が付加された撮影画像を情報処理装置へ送る出力機能と、デジタルカメラからのシーン識別情報付き撮影画像を前記撮影計画の分類体系に合わせて分類管理する機能とを実現させるためのプログラムを記録したコンピュータが読み取り可能な記録媒体を提供するようにしてもよい。
【００６６】
また、コンピュータが読み取り可能なプログラムコードを有する記録媒体であって、複数種の撮影条件を記憶管理する他に、予定している一連の撮影場面毎に、この場面に相応しい撮影条件を指定する為の条件指定情報を記憶管理する機能と、一連の撮影場面の中から任意の場面が今回の撮影対象として選択された場合に、この選択場面に対応する条件指定情報を読み出す機能と、読み出された条件指定情報に対応する撮影条件を撮影パラメータとして設定する機能とを実現させるためのプログラムを記録したコンピュータが読み取り可能な記録媒体を提供するようにしてもよい。
【００６７】
【発明の効果】
この発明（請求項１記載の発明）によれば、撮影計画にしたがって各場面毎に撮影を行う場合に、どの順番で何を撮影すべきかは事前に分かっているという事情を考慮し、撮影計画自体（データベース自体）をカメラ側に転送しておかなくても、どの場面で撮影した画像かを特定することができると共に、撮影場面毎にそれに相応しい条件で撮影した各撮影画像を撮影計画の分類体系に合わせて分類整理することができる。したがって、撮影者にあっては、撮影を行う毎に、撮影計画の内容を確認しなくてもよくなり、また、カメラ側にあっても、シーン識別情報を記憶保持して撮影画像に当該シーン識別情報を付加するだけの機能を追加するだけで足り、データベース管理に対応させる為の大幅な設計変更が不要となり、更には、撮影者の技能等に依存することなく、撮影場面毎にそれに適した高品質画像を得ることが可能となる等、実用効果の高いものとなる。
この発明（請求項４記載の発明）によれば、複数種の撮影条件を記憶管理すると共に、予定している一連の撮影場面毎に、この場面に相応しい撮影条件を指定する為の条件指定情報を記憶管理している状態において、一連の撮影場面の中から任意の場面が今回の撮影対象として選択された場合に、この選択場面に対応する条件指定情報を読み出すと共に、この条件指定情報に対応する撮影条件を撮影パラメータとして設定するようにしたから、撮影予定の各場面を撮影する場合に、撮影場面が変わる毎に、どのような条件で撮影すべきかを意識しなくても、場面毎にそれに相応しい条件で撮影することができ、誰でも容易に最良の撮影が可能となる等、実用効果の高いものとなる。
【図面の簡単な説明】
【図１】作業状況管理システムの全体構成を示したブロック図。
【図２】ＰＣ１側に設けられている工事名データベース１１のレコード構造を示した図。
【図３】ＰＣ１側に設けられている工程データベース１２のレコード構造を示した図。
【図４】デジタルカメラ２側に設けられている撮影条件テーブル２７の内容を示した図。
【図５】ＰＣ１およびデジタルカメラ２側に設けられている条件リストテーブル１３（２８）の内容を示した図。
【図６】デジタルカメラ２の基本的構成要素を示したブロック図。
【図７】ＰＣ１側において、工事記録用として事前に作成する撮影計画の作成処理を示したフローチャート。
【図８】ＰＣ１がナビゲーション画像をデジタルカメラ２へ転送する際の動作を示したフローチャート。
【図９】図８に続く、フローチャート。
【図１０】デジタルカメラ２側の動作を示したフローチャート。
【図１１】図１０に続く、フローチャート。
【図１２】ＰＣ１側における画像ファイルの読込処理を示したフローチャート。
【図１３】工事名一覧画面を示した図。
【図１４】階層構造の分類済み記憶エリア（分類別フォルダ）の内容を例示した図。
【符号の説明】
１  パーソナルコンピュータ（ＰＣ）
２  デジタルカメラ
３  クレードル
４  メディア用インターフェイス
５  記録メディア
１１  工事名データベース
１２  工程データベース
１３、２７  撮影条件テーブル
１４、２８  条件リストテーブル
２１  ＣＰＵ
２２  カメラ撮影部
２３  操作部
２４  通信部
２５  表示部
２６  記憶部
【図１】
2005033447.tif 000003
【図２】
2005033447.tif 000004
【図３】
2005033447.tif 000005
【図４】
2005033447.tif 000006
【図５】
2005033447.tif 000007
【図６】
2005033447.tif 000008
【図７】
2005033447.tif 000009
【図８】
2005033447.tif 000010
【図９】
2005033447.tif 000011
【図１０】
2005033447.tif 000012
【図１１】
2005033447.tif 000013
【図１２】
2005033447.tif 000014
【図１３】
2005033447.tif 000015
【図１４】
2005033447.tif 000016